(57)【要約】本発明は、リップスティック容器に関し、回転体本体の内側とリップスティックホルダーの下端部に、磁石と金属または2個の磁石をそれぞれ設置することにより、リップスティックをすべて使った後、回転体本体を回転させ、リップスティックホルダーが下降する時、リップスティックホルダーを最後まで下降させるまで、回転体本体を回転させなくても、磁力によってリップスティックホルダーが簡単に下降するという利便性を、ユーザーに提供できることが特徴である。
2017536139.tif 000002
【特許請求の範囲】
【請求項１】
リップスティックが結合され、リップスティックを支持するリップスティックホルダーと、前記リップスティックホルダーの下部に位置し、回転によって前記リップスティックホルダーが昇降する回転体本体を含むリップスティック容器において、
前記回転体本体の内側、及び、リップスティックホルダーの下部には、第1磁石、及び、第2磁石をそれぞれ具備し、前記回転体本体を回転させ、前記リップスティックホルダーが下降する過程で、前記第1磁石と第2磁石の間の磁力が作用する時点からは、磁力によってリップスティックホルダーが下降するように構成されることを特徴とするリップスティック容器。
【請求項２】
前記回転体本体の上部には、前記第1磁石を挿入する第1挿入溝が形成され、前記リップスティックホルダーの下部には、前記第2磁石を挿入する第2挿入溝が形成されることを特徴とする請求項1に記載のリップスティック容器。
【請求項３】
リップスティックが結合され、リップスティックを支持するリップスティックホルダーと、前記リップスティックホルダーの下部に位置し、回転によって前記リップスティックホルダーが昇降する回転体本体を含むリップスティック容器において、
前記回転体本体の内側とリップスティックホルダーの下部の中、いずれの一側には磁石を具備し、他側には金属を具備し、前記回転体本体を回転させ、前記リップスティックホルダーが下降する過程で、前記金属に対して磁石の磁力が作用する時点からは、磁力によってリップスティックホルダーが下降するように構成されることを特徴とするリップスティック容器。
【請求項４】
前記回転体本体の上部には、磁石または金属を挿入する第1挿入溝が形成され、前記リップスティックホルダーの下部には、磁石または金属を挿入する第2挿入溝が形成されることを特徴とする請求項3に記載のリップスティック容器。
【発明の詳細な説明】
【技術分野】
【０００１】
本発明は、リップスティック容器に関し、より詳細には、回転体本体の内側とリップスティックホルダーの下端部に磁石と金属または2個の磁石をそれぞれ設置することにより、リップスティックをすべて使った後、回転体本体を回転させ、リップスティックホルダーが下降する時、リップスティックホルダーが最後まで下降するまで回転体本体を回転させなくても、磁力によってリップスティックホルダーが簡単に下降することができるという利便性を、ユーザーに提供することができるリップスティック容器に関する。
【背景技術】
【０００２】
一般的に固形リップスティックは、蓋を開けた後、容器の下部に具備される回転体本体を回転させ、固形のスティック（stick）を容器外部に昇降させることができるようにしたものである。例えばリップスティックを使用するとき、まず容器の蓋を開けた後、回転体本体を回転させてスティックを上昇させ、外部へ突出させ、使用した後はスティックを下降させ、容器内にスティックを収容するようになっている。
【０００３】
上記のような構成で形成された「リップスティック容器」が韓国登録実用新案第20-0241614号（以下、韓国登録実用新案という）の図1に開示されている。
【０００４】
前記韓国登録実用新案は、リップスティック（2）がリップスティックホルダー（3）に挟まれ、リップスティックホルダー（3）の固定突起（4）が回転管（5）の内部に形成された螺旋溝（6）に挟まれ、リップスティックホルダー（3）と回転管（5）が結合される。案内管（7）は、リップスティックホルダー（3）と回転管（5）の間に挿入され、環状突起（9）によって回転管（5）に嵌合される。一方、リップスティックホルダー（3）の固定突起（4）は、案内管（7）の案内溝（8）の中に位置し、同時に螺旋溝（6）に位置することが特徴である。
【０００５】
前記韓国登録実用新案は、案内管（7）を手で握って回転管（5）を回すと、螺旋溝（6）と案内溝（8）の間にかかった固定突起（4）が上昇するようになり、リップスティックホルダー（3）に挟まれたリップスティック（2）が一緒に上昇し、リップスティック（2）を通じた唇の化粧が可能なように構成され、唇の化粧を完了した後、回転管（5）を回転させ、リップスティックホルダー（3）が下降する時、リップスティックホルダー（3）が最後まで下降するまで、回転管（5）をずっと回転させなければならない構造なので、ユーザーに不便さをもたらすという問題があった。
【発明の概要】
【発明が解決しようとする課題】
【０００６】
本発明は、上述した問題点を解決するために、発明されたもので、本発明の目的は、回転体本体の内側とリップスティックホルダーの下端部に磁石と金属または2個の磁石をそれぞれ設置することにより、リップスティックをすべて使った後、回転体本体を回転させ、リップスティックホルダーが下降する時、リップスティックホルダーが最後まで下降するまで、回転体本体を回転させなくても、磁力によってリップスティックホルダーを簡単に下降させることができるという利便性を、ユーザーに提供することができるリップスティック容器を提供する。
【課題を解決するための手段】
【０００７】
上記のような問題点を解決するために、本発明に係るリップスティック容器は、リップスティックが結合され、リップスティックを支持するリップスティックホルダーと、前記リップスティックホルダーの下部に位置し、回転によって前記リップスティックホルダーを昇降させる回転体本体を含むリップスティック容器である。
【０００８】
そして、本発明に係るリップスティック容器は、前記回転体本体の内側、及び、リップスティックホルダーの下部には、第1磁石、及び、第2磁石をそれぞれ具備し、前記回転体本体を回転させ、前記リップスティックホルダーが下降する過程で、前記第1磁石と第2磁石の間に磁力が作用する時点からは、磁力によってリップスティックホルダーが下降するように構成されることを特徴とする。
【０００９】
また、本発明に係るリップスティック容器は、前記回転体本体の上部には、前記第1磁石を挿入する第1挿入溝が形成され、前記リップスティックホルダーの下部には、前記第2磁石を挿入する第2挿入溝が形成されることを特徴とする。
【００１０】
また、本発明に係るリップスティック容器は、リップスティックが結合され、リップスティックを支持するリップスティックホルダーと、前記リップスティックホルダーの下部に位置し、回転によって前記リップスティックホルダーが昇降する回転体本体を含むリップスティック容器である。
【００１１】
そして、本発明に係るリップスティック容器は、前記回転体本体の内側とリップスティックホルダーの下部の中、いずれかの一側には磁石を具備し、他側には金属を具備し、前記回転体本体を回転させ、前記リップスティックホルダーが下降する過程で前記金属に対して磁石の引力が作用する時点からは、磁力によってリップスティックホルダーが下降するように構成されることを特徴とする。
【００１２】
また、本発明に係るリップスティック容器は、前記回転体本体の上部には、磁石や金属を挿入する第1挿入溝が形成され、前記リップスティックホルダーの下部には、磁石や金属を挿入する第2挿入溝が形成されることを特徴とする。
【発明の効果】
【００１３】
以上のように、本発明によれば、回転体本体の内側とリップスティックホルダーの下端部に磁石と金属または2個の磁石をそれぞれ設置することにより、リップスティックをすべて使った後、回転体本体を回転させ、リップスティックホルダーが下降する時、リップスティックホルダーが最後まで下降するまで回転体本体を回転させなくても、磁力によってリップスティックホルダーが簡単に下降することができるという利便性を、ユーザに提供することができるという長所がある。
【図面の簡単な説明】
【００１４】
【図１】本発明の好ましい実施例に係るリップスティック容器の構成を示す分解斜視図である。
【図２】本発明の好ましい実施例に係るリップスティック容器の構成を示す断面図である。
【図３】本発明の好ましい実施例に係るリップスティック容器の回転体本体に第1磁石が結合されている状態を示す説明図である。
【図４】本発明の好ましい実施例に係るリップスティック容器のリップスティックホルダーに第2磁石が結合される状態を示す説明図である。
【図５】本発明の好ましい実施例に係るリップスティック容器の動作過程を示す説明図である。
【図６】本発明の好ましい実施例に係るリップスティック容器の動作過程を示す説明図である。
【図７】本発明の好ましい実施例に係るリップスティック容器の動作過程を示す説明図である。
【発明を実施するための形態】
【００１５】
以下、図面を参照して、本発明を詳細に説明する。各図面に提示された同一の参照符号は同一の部材を示す。
【００１６】
図1は、本発明の好ましい実施例に係るリップスティック容器の構成を示す分解斜視図である。図2は、本発明の好ましい実施例に係るリップスティック容器の構成を示す断面図である。
【００１７】
図3は、本発明の好ましい実施例に係るリップスティック容器の回転体本体に第1磁石が組立される状態を示す説明図である。図4は、本発明の好ましい実施例に係るリップスティック容器のリップスティックホルダーに第2磁石が組立てられる状態を示す説明図である。
【００１８】
図1〜4を参照すると、本発明の好ましい実施例によるリップスティック容器は、リップスティックホルダー（300）の下部に位置し、回転によりリップスティックホルダー（300）が昇降する回転体本体（100）と、リップスティックホルダー（300）のガイド突起（310）が案内される螺旋状溝（410）が形成されている案内管（400）と、前記案内管（400）の内部に位置、リップスティックホルダー（300）のガイド突起（310）を上、下、垂直方向に案内する垂直ガイド溝（210）を具備した回転管（200）と、前記回転管（200）の垂直ガイド溝（210）、及び、案内管（400）の螺旋状溝（410）に位置するガイド突起（310）を形成し、リップスティック（L）を搭載するリップスティックホルダー（300）と、前記案内管（400）を覆って結合され、ユーザーが把持した状態で、前記回転体本体（100）を回転させる時、リップスティック（L）を挿入し、引き出されるリップスティック収容管（500）と、前記リップスティック収容管（500）を覆って、前記回転体本体（100）に着脱可能に結合されるオーバーキャップ（600）を具備し、前記回転体本体（100）、回転管（200）、リップスティックホルダー（300）、案内管（400）、リップスティック収容管（500）、及び、オーバーキャップ（600）の結合構造は、本発明が属する技術分野で公知技術なので、詳細な説明は省略することにする。以下では、回転体本体（100）の回転によるリップスティックホルダー（300）が下降する構造について説明する。
【００１９】
本発明において、前記回転体本体（100）の内側には、磁力によってリップスティックホルダー（300）が下降することができるように、第1磁石（120）を具備することを特徴として、前記第1磁石（120）を堅固に固定することができるように、第1磁石（120）を挿入する第1挿入溝（110）が形成される。
【００２０】
前記第1磁石（120）は、前記回転体本体（100）を回転させ、リップスティックホルダー（300）のガイド突起（310）が垂直ガイド溝（210）及び螺旋状溝（410）に沿って下降する過程で、リップスティックホルダー（300）の下部に具備される第2磁石（330）の磁力を通じて、リップスティックホルダー（300）が下降し、リップスティックホルダー（300）が上死点に位置する状態では、第1磁石（120）と第2磁石（330）の離隔距離によって相互磁力が作用していなかったが、回転体本体（100）の回転によりリップスティックホルダー（300）が一定区間下降して、第1磁石（120）と第2磁石（330）の間の磁力が作用する時点からは、磁力によってリップスティックホルダー（300）が下降する。これにより、第1磁石（120）と第2磁石（330）との磁力が作用する時点までのみ、回転体本体（100）を回転させると、磁力によって第2磁石（330）が第1磁石（120）方向へ移動することにより、回転体本体（100）が自動に回転し、リップスティックホルダー（300）が下降し、リップスティックホルダー（300）が最後まで下降するために、回転体本体（100）がずっと回転しなくても良いという利便性を、ユーザに提供することができる。
【００２１】
一方、前記リップスティックホルダー（300）は、リップスティック（L）に結合され、リップスティック（L）を支持するもので、外周面の両側に回転管（200）の垂直ガイド溝（210）、及び、案内管（400）の螺旋状溝（410）に沿って移動する一対のガイド突起（310）が形成され、本発明において、前記リップスティックホルダー（300）の下部には、磁力によって下降することができるように、第2磁石（330）が具備されることが特徴で、前記第2磁石（330）を堅固に固定することができるように、第2磁石（330）を挿入する第2挿入溝（320）が形成される。
【００２２】
前記第2磁石（330）は、前記回転体本体（100）を回転させ、リップスティックホルダー（300）のガイド突起（310）が垂直ガイド溝（210）、及び、螺旋状溝（410）に沿って下降する過程で、回転体本体（100）の第1挿入溝（110）に挿入される第1磁石（120）の磁力を通じてリップスティックホルダー（300）を下降させる。
【００２３】
一方、前記では、第1挿入溝（110）、及び、第2挿入溝（320）に、第1磁石（120）、及び、第2磁石（330）をそれぞれ挿入し、第1磁石（120）と第2磁石（330）の磁力によってリップスティックホルダー（300）が下降することを説明した。前記第1挿入溝（110）と第2挿入溝（320）の中、いずれの一側には磁石を挿入し、他側には金属を挿入し、回転体本体（100）を回転させ、リップスティックホルダー（300）が下降する過程で、前記金属に対して磁石の磁力が作用する時点から、磁力によってリップスティックホルダー（300）が下降するように構成することもできる。
【００２４】
以下では、図5〜7を参照して、本発明の好ましい実施例に係るリップスティック容器の動きを説明する。
【００２５】
図5〜7を参照すると、まず、リップスティック収容管（500）を片手で把持した状態で、回転体本体（100）を一方向へ回転させると、リップスティックホルダー（300）のガイド突起（310）が垂直ガイド溝（210）、及び、螺旋状溝（410）に沿って上昇し、これにより、リップスティック（L）が外部に引き出され、使用可能な状態になり、この時、第1磁石（120）と第2磁石（330）は、相互に離隔された状態で配置される。
【００２６】
次に、回転体本体（100）を他側方向へ回転させると、リップスティックホルダー（300）のガイド突起（310）が垂直ガイド溝（210）と螺旋状溝（410）に沿って下降し、これにより、リップスティック（L）をリップスティック収容管（500）の内部に挿入し、リップスティックホルダー（300）が下降する過程で、一定区間を下降すると、第1磁石（120）と第2磁石（330）の離隔距離が狭まることによって、第1磁石（120）と第2磁石（330）の間に磁力が発生し、これにより、第1磁石（120）と第2磁石（330）の磁力によって、リップスティックホルダー（300）が下降する。
【００２７】
本発明は、リップスティックホルダー（300）が最後まで下降するために、回転体本体（100）がずっと回転しなくても、第1磁石（120）と第2磁石（330）の間に磁力が作用する時点までのみ、回転体本体（100）を一定区間回転させると、第1磁石（120）と第2磁石（330）の磁力によって、リップスティックホルダー（300）を自動的に下降する。リップスティック（L）をリップスティック収容管（500）に挿入する過程で、ユーザに利便性を提供することができる。ユーザーの不注意でリップスティックホルダー（300）が最後まで下降していない状態で、オーバーキャップ（600）を回転体本体（100）に結合し、リップスティック（L）がつぶれる等の、毀損が発生することを根本的に解決することができる。
【図１】
2017536139.tif 000003
【図２】
2017536139.tif 000004
【図３】
2017536139.tif 000005
【図４】
2017536139.tif 000006
【図５】
2017536139.tif 000007
【図６】
2017536139.tif 000008
【図７】
2017536139.tif 000009
【国際調査報告】
2017536139.tif 000010
2017536139.tif 000011
2017536139.tif 000012
2017536139.tif 000013